【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
第１の上部壁、
本質的に円筒形の第１の側壁、および
無針コネクタのハブを受け取るための内側ハウジング内の内側空洞への開口を有する前記第１の側壁によって形成された開いた底部
を備える内側ハウジングと、
前記第１の側壁を本質的に囲むように構成された本質的に円筒形の第２の側壁を備える外側ハウジングと、
を含み、
前記第１の側壁は前記第２の側壁に接続され、前記内側ハウジングと前記外側ハウジングの間に開いた空間が延在し、前記開いた空間を介して前記外側ハウジングと前記内側ハウジングとの間を空気が通ることを可能にし、
前記第１の上部壁の上方で構成された第３の上部壁であって、前記第３の上部壁を通って延び、前記内側ハウジングと前記外側ハウジングとの間に延びる前記開いた空間を通過する前記空気が外側ロックハウジングを通過することを可能にする少なくとも１つの開口を備える第３の上部壁、および
前記第２の側壁を本質的に囲むように構成された本質的に円筒形の第３の側壁、
を備える前記外側ロックハウジングを含み、
前記外側ロックハウジングは、前記外側ハウジングと相互作用（interfaces）し、それにより、前記第１の上部壁および前記第３の上部壁が互いに向かって付勢されるとき、前記外側ロックハウジングの回転運動が、同じ回転方向で前記内側ハウジングおよび前記外側ハウジングの回転運動に伝達される他に、前記第１の上部壁の外面の少なくとも第１の部分と、前記第３の上部壁の内面の少なくとも第２の部分とが係合するキャップ。
【請求項２】
前記内側ハウジングおよび前記外側ハウジングが一体形成される請求項１に記載のキャップ。
【請求項３】
前記第１の側壁の外側表面と前記第２の側壁の内側表面との間に少なくとも１つの突起を備え、前記突起は前記第１の側壁を前記第２の側壁に接続する請求項１に記載のキャップ。
【請求項４】
前記少なくとも１つの突起は、前記第１の側壁の前記外側表面および前記第２の側壁の前記内側表面に対して本質的に直交する第１の垂直表面を備え、
前記突起は、前記第１の側壁によって形成された前記底部から前記第１の上部壁へ延びる請求項３に記載のキャップ。
【請求項５】
前記第１の側壁によって形成された前記開いた底部のリムの表面に取り付けられたとき前記内側空洞への前記開口を密封する剥離密封フィルムをさらに備える請求項１に記載のキャップ。
【請求項６】
前記剥離密封フィルムは、前記内側ハウジングと前記外側ハウジングとの間に延びる前記開いた空間を覆うことも遮断することもない請求項５に記載のキャップ。
【請求項７】
前記第１の上部壁の外側表面の前記第１の部分は、少なくとも１つの第１の突起を備え、
前記第３の上部壁の内側表面の前記第２の部分は、少なくとも１つの第２の突起を備える請求項１に記載のキャップ。
【請求項８】
前記少なくとも１つの第１の突起は、前記第１の上部壁の前記外側表面に対して本質的に直交する第１の垂直表面と、前記第１の上部壁の前記外側表面に対して鋭角にある第１の傾斜表面とを備え、
前記少なくとも１つの第２の突起は、前記第３の上部壁の前記内側表面に対して本質的に直交する第２の垂直表面と、前記第３の上部壁の前記内側表面に対して鋭角にある第２の傾斜表面とを備える請求項７に記載のキャップ。
【請求項９】
前記外側ロックハウジングは、前記第１の部分と前記第２の部分が係合されていないとき、前記内側ハウジングおよび前記外側ハウジングに対して前記外側ロックハウジングの回転運動を許容しながら、前記内側ハウジングおよび前記外側ハウジングに対して固定される請求項１に記載のキャップ。
【請求項１０】
前記外側ハウジングの前記第２の側壁の外側表面上に突起と、
前記外側ロックハウジングの前記第３の側壁の内側表面内に凹部と、をさらに備え、
前記突起および前記凹部は、前記外側ロックハウジングを前記外側ハウジング上で固定するように係合するように構成される請求項９に記載のキャップ。
【請求項１１】
前記内側ハウジングの前記第１の上部壁の外側表面上に第１の係止突起と、
前記外側ロックハウジングの前記第３の上部壁の内側表面上に第２の係止突起と、をさらに備え、
前記第１の係止突起および前記第２の係止突起は、前記外側ロックハウジングを前記内側ハウジングおよび前記外側ハウジングに対して固定するように係止するように構成される請求項９に記載のキャップ。
【請求項１２】
キャップであって、
第１の上部壁、
本質的に円筒形の第１の側壁、および
無針コネクタのハブを受け取るための内側ハウジング内の内側空洞への開口を有する前記第１の側壁によって形成された開いた底部
を備える内側ハウジングと、
前記第１の側壁を本質的に囲むように構成された本質的に円筒形の第２の側壁を備える外側ハウジングと、
を含み、
前記第１の側壁は前記第２の側壁に接続され、前記内側ハウジングと前記外側ハウジングの間に開いた空間が延在し、前記開いた空間を介して前記外側ハウジングと前記内側ハウジングとの間の空気が通ることを可能にし、
前記内側空洞内に構成された消毒スポンジと、
前記キャップの使用前に前記スポンジを前記内側空洞内に密封するように前記内側空洞への前記開口を密封する取外し可能なカバーとをさらに備え、
前記キャップは、キャップネジ山を含み、前記キャップネジ山は前記無針コネクタのかみ合い機構に対応していないキャップ。
【請求項１３】
前記キャップねじ山の大径、小径、ピッチ、ねじ山断面プロファイル、およびねじ山の数のうちの少なくとも１つは、前記ハブの前記かみ合い機構に対応しない請求項１２に記載のキャップ。
【請求項１４】
前記第１の側壁の内側側壁表面上の前記キャップねじ山は、前記無針コネクタの前記かみ合い機構とのインターロックを容易にするように、前記キャップねじ山の少なくとも一部分に形成された突起を備える請求項１２に記載のキャップ。
【請求項１５】
前記キャップねじ山の少なくとも一部分は、前記無針コネクタの前記かみ合い機構に係合しない非係合部分を備える請求項１２に記載のキャップ。
【請求項１６】
前記キャップねじ山は、
前記無針コネクタの前記かみ合い機構とのインターロックを容易にするように、前記キャップねじ山の少なくとも一部分に形成された少なくとも１つのインターロック部分と、
前記無針コネクタの前記かみ合い機構に係合しない少なくとも１つの非係合部分とを備える請求項１２に記載のキャップ。
【請求項１７】
前記キャップねじ山は、
大プロファイル、小プロファイル、ピッチ、および第１のねじ山断面プロファイルを有する第１の開始ねじ山経路と、
大プロファイル、小プロファイル、ピッチ、および第２のねじ山断面プロファイルを有する少なくとも第２の開始ねじ山経路とを備え、
前記第１のねじ山断面プロファイルおよび前記第２のねじ山断面プロファイルが異なっている請求項１２に記載のキャップ。
【請求項１８】
前記内側ハウジングと前記外側ハウジングとが一体的に形成されている請求項１２に記載のキャップ。
【請求項１９】
前記第１の側壁の外面と前記第２の側壁の内面との間に少なくとも１つの突起があり、前記突起は前記第１の側壁を前記第２の側壁に接続する請求項１２に記載のキャップ。
【請求項２０】
前記少なくとも１つの突起は、前記第１の側壁の前記外面および前記第２の側壁の前記内面に本質的に垂直な第１の垂直面を含み、
前記突起は、前記第１の側壁によって形成される前記底部から前記第１の上部壁まで延在する請求項１９に記載のキャップ。
【請求項２１】
前記第１の側壁によって形成された前記開いた底部のリムの表面に取り付けられたときに、前記開口を前記内側空洞に密封する剥離密封フィルムをさらに含む請求項１２に記載のキャップ。
【請求項２２】
前記剥離密封フィルムは、前記内側ハウジングと前記外側ハウジングとの間に延在する前記開いた空間を覆うことも遮断することもない請求項２１に記載のキャップ。